(57)【要約】【課題】本発明は、柔軟層が成形品から落ちることを防ぐことができる成形品を提供できる。【解決手段】本発明は、基板と、皮革、織物、布の中の何れか一種から構成される柔軟層と、前記柔軟層に直接に接着される基板と、を含み、前記柔軟層と前記基板が接着される部位に保護構造が設置されている成形品を提供する。前記柔軟層と前記基板が接着される部位が前記保護構造に設置されているので、外部の水が柔軟層と基板との間に入ることができない。従って、柔軟層と基板が分離されるか、柔軟層が基板から落ちるか、ハウジングの外観が悪くなることを防ぐことができる。【選択図】図２
2009149060.tif 000002
【特許請求の範囲】
【請求項１】
基板と、皮革、織物、布の中の何れか一種から構成される柔軟層と、
前記柔軟層に直接的に接着される基板と、を含み、
前記柔軟層と前記基板が接着される部位に保護構造が設置されていることを特徴とする成形品。
【請求項２】
前記保護構造は、前記柔軟層と前記基板が接着される部位を覆うように、前記基板の周囲に設置される環状体であることを特徴とする請求項１に記載の成形品。
【請求項３】
前記保護構造は、前記基板の上下にそれぞれ形成される２つの平板と、その２つの平板を連結させる側板と、前記平板と側板により形成される挿入部と、を含むことを特徴とする請求項１に記載の成形品。
【請求項４】
前記基板が射出成形方法で射出して形成したものであることを特徴とする請求項１に記載の成形品。
【請求項５】
前記基板の材料として、プラスチック、ゴム、シリコーンなどを採用することを特徴とする請求項４に記載の成形品。
【請求項６】
前記柔軟層の材料として、前記皮革と、織物及び布を、天然皮革、人工皮革、綿織物、繊維織物、プラスチック織物、ナイロン織物から選択することを特徴とする請求項１に記載の成形品。
【請求項７】
前記柔軟層の材料として、前記皮革と、織物及び布を、好ましくは、人工皮革、綿織物又はナイロン織物から選択することを特徴とする請求項５に記載の成形品。
【請求項８】
前記柔軟層は、表面に微小な凹凸部が多く形成される接着面を含み、射出成形方法で前記基板を形成する場合、前記基板を形成する溶融の材料が前記接着面の微小な凹凸部に入るので、両者が緊密に接着されることを特徴とする請求項１に記載の成形品。
【発明の詳細な説明】
【技術分野】
【０００１】
本発明は、成形品に関し、特に表面に皮革、織物又は布が形成されている成形品に関するものである。
【背景技術】
【０００２】
技術の発展に伴って、携帯電話、ノートパソコン、携帯情報端末（Ｐｅｒｓｏｎａｌ  Ｄｉｇｉｔａｌ  Ａｓｓｉｓｔａｎｔ、ＰＤＡと略称）などの電子装置が広く使用されている。使用者は、前記電気装置の各種の機能に対する要求ばかりでなく、電子装置の外観と手触りに対しても新しい要求がある。
【０００３】
前記電子装置の外部には、電子装置の各種の部品を保護するハウジングが設置されている。前記ハウジングは、通常プラスチックを材料とし、射出成形方法で製造したものである。射出成形方法で製造した成形品は、重さが軽く、製造コストが安く、製造方法が簡単である利点があるので、各種の領域に広く使用されている。
【０００４】
前記ハウジングの手触りを向上させる一方、外観を美しくするために、通常前記成形品の表面に皮革、織物などから構成される柔軟層を形成する。前記ハウジングの表面に柔軟層を形成する場合、まず皮革、織物などを金型の内部に設置する。次に、金型の内部に前記ハウジングを形成する溶融の材料を注入して、ハウジング本体を形成する。次に、前記溶融の材料を固化させると、ハウジングの表面に手触りを向上させることができる柔軟層が一体に形成される。
【０００５】
しかし、前記柔軟層と前記ハウジングが接着される隙間に水などが入る可能性がある。これにより、柔軟層とハウジングが分離するか、柔軟層がハウジングから落ちることができる。従って、ハウジングの外観が悪くなる。
【発明の開示】
【発明が解決しようとする課題】
【０００６】
以上の問題点に鑑みて、本発明は、柔軟層が成形品から落ちることを防ぐことができる成形品を提供するのが目的とする。
【課題を解決するための手段】
【０００７】
前記問題を解決するために、基板と、皮革、織物、布の中の何れか一種から構成される柔軟層と、前記柔軟層に直接に接着される基板と、を含み、前記柔軟層と前記基板が接着される部位に保護構造が設置されている成形品を提供する。
【発明の効果】
【０００８】
前記成形品において、前記柔軟層と前記基板が接着される部位に前記保護構造が設置されているので、外部の水が柔軟層と基板との間に入ることができない。従って、柔軟層と基板が分離されるか、柔軟層が基板から落ちるか、ハウジングの外観が悪くなることを防ぐことができる。
【発明を実施するための最良の形態】
【０００９】
以下、図面に基づいて、本発明の実施形態に係る成形品に対して詳細に説明する。
【００１０】
図１は、本発明の第一実施形態に係る成形品１００の斜視図であり、図２は、本発明の第一実施形態に係る成形品１００の断面図である。前記成形品１００は、柔軟層１２と、基板１４と、保護構造１６と、を含む。
【００１１】
前記柔軟層１２は、皮革、織物、布の中の何れか一種から構成される。前記皮革と、織物及び布は、天然皮革、人工皮革、綿織物、繊維織物、プラスチック織物、ナイロン織物などから選択することができる。好ましくは、人工皮革、綿織物又はナイロン織物から構成される柔軟層１２を選択する。
【００１２】
前記柔軟層１２は、前記基板１４の上表面と接着する接着面１２２を含む。前記接着面１２２は、表面に微小な凹凸部が多く形成される粗い表面である。不同な材料で前記柔軟層１２を製造する場合、前記接着面１２２の微小な凹凸部が形成される方式が互いに異なる。例えば、綿織物などで前記柔軟層１２を製造する場合、微小な凹凸部が前記柔軟層１２を製造する際に直接前記接着面１２２に形成されるが、皮革などで前記柔軟層１２を製造する場合、皮革の表面に研磨などの工程を実施しなければ、微小な凹凸部を有する前記接着面１２２が形成されない。
【００１３】
前記基板１４は、前記柔軟層１２の接着面１２２に形成されている。その基板１４は、射出成形方法で射出して形成したものである。前記基板１４の材料として、プラスチック、ゴム、シリコーンなどを採用することができる。前記プラスチック材料として、ポリ塩化ビニル樹脂（Ｐｏｌｙｖｉｎｙｌ  Ｃｈｌｏｒｉｄｅ、ＰＶＣ）、ポリエチレンテレフタレート（Ｐｏｌｙｅｔｈｙｌｅｎｅ  Ｔｅｒｅｐｈｔｈａｌａｔｅ  、ＰＥＴ）、アクリロニトリルブタジエンスチレン（Ａｃｒｙｌｏｎｉｔｏｒｉｌｅ  Ｂｕｔａｄｉｅｎｅ  Ｓｔｙｒｅｎｅ、ＡＢＳ）、ポリカーボネート（Ｐｏｌｙｃａｒｂｏｎａｔｅ、ＰＣ）、ポリイミド（Ｐｏｌｙｉｍｉｄｅ  、ＰＩ）、液晶高分子（Ｌｉｑｕｉｄ  Ｃｒｙｓｔａｌ  Ｐｏｌｙｍｅｒ  、ＬＣＰ）、ポリエーテルイミド（Ｐｏｌｙｅｔｈｅｒｉｍｉｄｅ、ＰＥＩ）、ポリフェニレンサルファイド（Ｐｏｌｙｐｈｅｎｙｌｅｎｅ  Ｓｕｌｆｉｄｅ、ＰＰＳ）、ポリスチレン（Ｐｏｌｙｓｔｙｒｅｎｅ、ＰＳ）、ポリプロピレン（Ｐ  ｏｌｙｐｒｏｐｙｌｅｎｅ、ＰＰ）等を単独或いは混合して用いることができる。好ましくは、アクリロニトリルブタジエンスチレン（ＡＢＳ）又はポリカーボネート（ＰＣ）を前記基板１４を形成する材料とする。上述した材料において、前記アクリロニトリルブタジエンスチレン又はポリカーボネートが、前記皮革又は織物に緊密に接着されることができる。特に、人工皮革、綿織物又はナイロン織物にさらに緊密に接着される。
【００１４】
射出成形方法で前記基板１４を形成する場合、前記基板１４を形成する溶融状態の材料によって、その基板１４が前記柔軟層１２の接着面１２２に密着されることができる。前記基板１４と前記柔軟層１２の接着面１２２との間の接着面で、前記基板１４を形成する溶融の材料が前記接着面１２２の微小な凹凸部に入るので、両者の間の接着力が向上される。又、前記基板１４と前記柔軟層１２の接着面１２２との間の接続面積が増加されるので、両者の間の接着力がさらに向上されることができる。
【００１５】
前記保護構造１６は、前記基板１４の周囲に設置され、サイズが前記基板１４とほぼ同じであり、且つ断面が“コ”形である矩形体である。即ち、前記保護構造１６が前記柔軟層１２と前記基板１４が接着される部位を覆うように、前記基板１４の周囲に設置されている。その保護構造１６は、それぞれ前記基板１４の上下に形成される２つの平板１６２と、その２つの平板１６２を連結させる側板１６４と、を含む。前記平板１６２と側板１６４により“コ”形である挿入部１６６が形成される。前記基板１４の断面が前記挿入部１６６に挿入されているので、外部の水が前記柔軟層１２と前記基板１４が接着される部位から入ることができない。即ち、前記柔軟層１２と前記基板１４が接着される部位が前記保護構造１６に設置されているので、外部の水が柔軟層１２と基板１４との間に入ることができない。従って、柔軟層１２と基板１４が分離されるか、柔軟層１２が基板１４から落ちるか、ハウジングの外観が悪くなることを防ぐことができる。
【００１６】
図３は、本発明の第二実施形態に係る成形品２００の断面図である。第一実施形態の成形品１００と第二実施形態の成形品２００がほぼ同じである。違うところは、成形品２００の保護構造２６に２つの平板と挿入部が形成されないことである。前記保護構造２６は、柔軟層２２と基板２４が接着される断面に形成され、幅が小さな環状体である。
【００１７】
前記成形品１００は、携帯電話、ノートパソコン、携帯情報端末（Ｐｅｒｓｏｎａｌ  Ｄｉｇｉｔａｌ  Ａｓｓｉｓｔａｎｔ、ＰＤＡと略称）などの電子装置に使用されるハウジング、又は、筆入れ、コップなどの各種の容器であることができる。
【００１８】
上述したように、前記柔軟層１２と前記基板１４が接着される部位が前記保護構造１６又は２６に覆われているので、外部の水が柔軟層１２と基板１４との間に入ることができない。従って、柔軟層１２と基板１４が分離されるか、柔軟層１２が基板１４から落ちるか、ハウジングの外観が悪くなることを防ぐことができる。
【図面の簡単な説明】
【００１９】
【図１】本発明の第一実施形態に係る成形品の斜視図である。
【図２】本発明の第一実施形態に係る成形品の断面図である。
【図３】本発明の第二実施形態に係る成形品の断面図である。
【符号の説明】
【００２０】
１００  成形品
１２  柔軟層
１２２  接着面
１４  基板
１６  保護構造
１６２  平板
１６４  側板
１６６  挿入部
２００  成形品
２２  柔軟層
２４  基板
２６  保護構造
【図１】
2009149060.tif 000003
【図２】
2009149060.tif 000004
【図３】
2009149060.tif 000005